(57)【要約】【課題】小型の発光装置から成る平面光源を一方向に集光するのに適しており、機械的強度を維持しつつ、優れた配光特性を有するレンズアレイを提供する。【解決手段】本発明のレンズアレイ２０は、隙間をおいて平行に配置された複数のシリンドリカルレンズ３０と、前記隙間部分に配置されて隣接する前記シリンドリカルレンズ３０を接続する連結部４０と、を有するレンズアレイ２０であって、前記連結部４０は、前記シリンドリカルレンズ３０の凸部３２が突出した第１主面２２側に、前記シリンドリカルレンズ３０の軸方向３０Ａと交差する方向に伸びた複数の溝部４２を有し、平面光源５０の発光面５４側に載置されて前記平面光源５０からの発光を平面内の直交する２方向のいずれか一方に集光することを特徴とする。【選択図】図１
2008203430.tif 000002
【特許請求の範囲】
【請求項１】
隙間をおいて平行に配置された複数のシリンドリカルレンズと、前記隙間部分に配置されて隣接する前記シリンドリカルレンズを接続する連結部と、を有するレンズアレイであって、
前記連結部は、前記シリンドリカルレンズの凸部が突出した第１主面側に、前記シリンドリカルレンズの軸方向と交差する方向に伸びた複数の溝部を有し、
平面光源の発光面側に載置されて前記平面光源からの発光を平面内の直交する２方向のいずれか一方に集光することを特徴とするレンズアレイ。
【請求項２】
前記溝部間に位置する前記連結部の厚肉部は、前記第１主面側の面が平面であることを特徴とする請求項１に記載のレンズアレイ。
【請求項３】
前記溝部間に位置する前記連結部の厚肉部と隣接している前記シリンドリカルレンズの領域が、前記レンズアレイの第２主面側に突起部を備えており、
前記シリンドリカルレンズの部分の前記凸部の断面積と、前記突起部の断面積とがほぼ等しいことを特徴とする請求項１又は２に記載のレンズアレイ。
【請求項４】
複数の発光装置を有する平面光源と、
前記平面光源の発光面側に配置して、前記平面光源からの発光を、平面内の直交する２方向のいずれか一方に集光するレンズアレイと、を備えた照明装置であって、
前記レンズアレイは、隙間をおいて平行に配置された複数のシリンドリカルレンズと、前記隙間部分に配置されて隣接する前記シリンドリカルレンズを接続する連結部と、を有し、
前記連結部は、前記シリンドリカルレンズの凸部が突出した第１主面側に、前記シリンドリカルレンズの軸方向と交差する方向に伸びた複数の溝部が形成され、
前記発光装置の各々が、前記溝部の中心線と前記シリンドリカルレンズの中心線との交差点近傍に対応する位置に配置されることを特徴とする照明装置。
【請求項５】
前記溝部間に位置する前記連結部の厚肉部は、前記第１主面側の面が平面であることを特徴とする請求項４に記載の照明装置。
【請求項６】
前記溝部間に位置する前記連結部の厚肉部と隣接している前記シリンドリカルレンズの領域が、前記レンズアレイの第２主面側に突起部を備えており、
前記シリンドリカルレンズの部分の前記凸部の断面積と、前記突起部の断面積とがほぼ等しいことを特徴とする請求項４又は５に記載の照明装置。
【発明の詳細な説明】
【技術分野】
【０００１】
本発明は、発光装置の前面に配置して使用するレンズアレイ及びそれを用いた照明装置に関し、特に、発光装置からの発光を一方向のみ集光するためのレンズアレイ及びそれを用いた照明装置に関する。
【背景技術】
【０００２】
シリンドリカルレンズは、一方向の集光を可能にするレンズである。そして、１つのシリンドリカルレンズでは対応しにくい広がった光を１方向だけ集光しようとする場合には、シリンドリカルレンズを複数配置したシリンドリカルレンズアレイを用いることができる。この性質を利用して、シリンドリカルレンズアレイは、背面投写型ディスプレイの視野角を調整するために広く使用されている。背面投写型ディスプレイでは、水平方向と垂直方向の２方向を集光する必要があるため、例えば、集光方向の異なる２種類のシリンドリカルレンズアレイを１つの面に配列したレンズアレイシートが知られている（例えば、特許文献１及び２参照）。このレンズアレイシートは、間隔をあけて配列した複数本のシリンドリカルレンズから成る第１のレンズアレイと、複数のシリンドリカルレンズを密に配列した第２のレンズアレイとの２種類のレンズアレイを含んでいる。第２のレンズアレイは、第１のレンズアレイの隙間に配置され、第２のレンズアレイの長さ方向が第１のレンズアレイの長さ方向と交差するように方向決めされている。
【特許文献１】特開２００３−１６７２９８号公報
【特許文献２】特開２００５−３７６９８号公報
【発明の開示】
【発明が解決しようとする課題】
【０００３】
近年、発光ダイオードなどの小型の発光装置を照明用光源として使用する試みが進んでおり、これらの小型の発光装置を所望の配光にするためにレンズアレイを使用することができる。照明用光源とする場合には、発光装置を適当な間隔でマトリクス状に配列した、いわゆる平面光源の形態が好適である。このような平面光源に使用するレンズアレイは、発光装置に対応する位置にシリンドリカルレンズと、発光装置間の隙間（非発光部分）に対応する位置に、シリンドリカルレンズを一体のシートにするための連結部とを備えたレンズアレイが最適である。連結部は、シリンドリカルレンズ間に配置されて、各レンズアレイの平坦部側に近い曲面部分に接続される。このレンズアレイは、部分的に連結部を形成することにより、全体にシリンドリカルレンズを形成したレンズアレイに比べて、レンズアレイの軽量化と、材料の使用量減少とを図ることができる。
【０００４】
レンズアレイは、平面光源の発光面側に単独で固定でき、且つ形成時や使用中にレンズアレイに反りが生じないように、適当な機械的強度を備えることが求められる。連結部の厚さを厚くすれば、レンズアレイの機械的強度は向上する。しかしながら、連結部が厚くなると、連結部と接続するシリンドリカルレンズの曲面の面積が増加する、すなわちシリンドリカルレンズとして機能する曲面の面積が減少するので、シリンドリカルレンズの配光特性が低下するという問題が発生する。逆に、配光特性を良好にするために連結部を薄くすれば、レンズアレイの機械的強度の低下という問題を解決できない。
【０００５】
そこで、本発明では、機械的強度を維持しつつ、優れた配光特性を有するレンズアレイ及びそれを用いた照明装置を提供することを目的とする。
【課題を解決するための手段】
【０００６】
本発明のレンズアレイは、隙間をおいて平行に配置された複数のシリンドリカルレンズと、前記隙間部分に配置されて隣接する前記シリンドリカルレンズを接続する連結部と、を有するレンズアレイであって、前記連結部は、前記シリンドリカルレンズの凸部が突出した第１主面側に、前記シリンドリカルレンズの軸方向と交差する方向に伸びた複数の溝部を有し、平面光源の発光面側に載置されて前記平面光源からの発光を平面内の直交する２方向のいずれか一方に集光することを特徴とする。
【０００７】
このレンズアレイでは、溝部に隣接したシリンドリカルレンズに良好な配光特性を付与できるので、その領域と対応する位置に発光装置を配置することにより、好ましい配光を有する照明装置を得ることができる。また、溝部以外の連結部に十分な機械的強度を与えることができるので、レンズアレイの製造時に、またレンズアレイの使用時に反りが発生するのを抑制できる。
【０００８】
本発明の照明装置は、複数の発光装置を有する平面光源と、前記平面光源の発光面側に配置して、前記平面光源からの発光を、平面内の直交する２方向のいずれか一方に集光するレンズアレイと、を備えた照明装置であって、前記レンズアレイは、隙間をおいて平行に配置された複数のシリンドリカルレンズと、前記隙間部分に配置されて隣接する前記シリンドリカルレンズを接続する連結部と、を有し、前記連結部は、前記シリンドリカルレンズの凸部が突出した第１主面側に、前記シリンドリカルレンズの軸方向と交差する方向に伸びた複数の溝部が形成され、前記発光装置の各々が、前記溝部の中心線と前記シリンドリカルレンズの中心線との交差点近傍に対応する位置に配置されることを特徴とする。
【０００９】
この照明装置は、配光特性に優れたシリンドリカルレンズに対応して発光装置を配置することにより、連結部が部分的に厚いレンズアレイであっても、照明装置の配光特性を良好に維持することができる。
【発明の効果】
【００１０】
本発明によれば、機械的強度を維持して反りを抑えつつ、優れた配光特性も有するレンズアレイ及びそれを用いた照明装置を提供することができる。
【発明を実施するための最良の形態】
【００１１】
図１〜図５Ｂに示すように、本発明の照明装置１０は、平面光源５０と、平面光源５０の発光面５４側に配置されたレンズアレイ２０とから構成されている。レンズアレイ２０は、複数のシリンドリカルレンズ３０を含んでいる。各シリンドリカルレンズ３０は、ｘ方向に長く伸びるように（すなわち、シリンドリカルレンズ３０の軸３０Ａがｘ方向に一致するように）配置され、レンズアレイ２０の第１主面２２側に凸部３２が突出するように方向付けられている。このレンズアレイ２０は、平面光源５０からｚ方向に進行する光を、ｙ方向のみ集光することができる。よって、照明光は、ｘ方向に長く、ｙ方向に狭いプロファイルを有する。このような照明装置は、照明対象が細長い形状の場合に好適である。
【００１２】
本発明のレンズアレイ２０は、シリンドリカルレンズ３０をｙ方向に隙間をおいて平行に配置している。シリンドリカルレンズ３０の隙間部分には、連結部４０が配置されており、隣接するシリンドリカルレンズ３０を接続している。レンズアレイ２０には、複数（この例では６個）のボルト穴６０が形成されており、この穴にボルト（図示せず）を挿入して平面光源５０に固定できる。
【００１３】
連結部４０には、レンズアレイ２０の第１主面２２側に溝部４２が形成されている。この溝部４２は、シリンドリカルレンズ３０の軸３０Ａ（ｘ方向）と直交する方向（ｙ方向）に伸びている。よって、溝部４２の方向はｙ方向とする。なお、「（ｙ方向）に伸びた溝部４２」とは、隣接するシリンドリカルレンズ３０間に渡って溝部４２が形成されていることを指している。
また、図２Ｂや図３に図示されているように、溝部４２は、ｘ方向に間隔を空けて複数形成されている。そのため、連結部４０は、溝部４２によって肉薄になった部分と、溝部４２が形成されていない肉厚の部分（肉厚部４６と称する）とが、ｘ方向に繰り返し並んでいる。
【００１４】
シリンドリカルレンズ３０の配光特性と、連結部４０の機械的特性とは、図２Ｂに示すようなｙ方向に伸びる２種類の領域Ｒ１、Ｒ２によって分類できる。第１領域Ｒ１は連結部４０に形成された溝部４２を含む領域であり、連結部４０が肉薄になるので機械的強度は低いものの、シリンドリカルレンズ３０の曲面が広く確保できるため、配光特性に優れている。一方、第２領域Ｒ２は連結部４０の肉厚部４６を含む領域であり、機械的強度が高い反面、シリンドリカルレンズ３０の曲面が狭くなるので、配光特性に劣っている。よって、発光装置５２からの光を集光するときは、領域Ｒ１内に含まれるシリンドリカルレンズ３０の部分（集光領域３４と称する）によって行うのが好ましい。そして、レンズアレイ２０の自立性や反り防止を確実にするためには、領域Ｒ２を適切に調節するのが好ましい。このように、本発明のレンズアレイ２０は、シリンドリカルレンズ３０の集光領域３４によって発光装置からの発光を集光し、集光領域３４と隣接しない部分において連結部４０を肉厚にすることによりレンズアレイ２０の機械的強度を維持することができる。
【００１５】
平面光源５０は、実装基板５６の発光面５４側に発光装置５２を複数配置して構成されている。各発光装置５２は、レンズアレイ２０の集光領域３４によって集光できるように配置する必要がある。そのためには、発光素子５２は、第１領域の中央を通る線（溝部４２の中心線）４２Ｃと、シリンドリカルレンズ３０の中心線３０Ｃとの交差点Ｐ及びその近傍に対応する位置に配置するのがよい。本発明の照明装置では、発光装置５２からの光が配光特性に優れた集光領域３４によって集光できるので、配光特性の良好な照明装置を得ることができる。
【００１６】
なお、本明細書において「溝部４２の中心線４２Ｃ」とは、平面視したときに、溝部４２の底面４４のｘ方向における寸法（これを底面４４の幅４４ｄと称する）の中央を通り、溝部４２の方向（ｙ方向）に伸びる線を指す。
また、「シリンドリカルレンズの中心線３０Ｃ」とは、平面視したときに、シリンドリカルレンズ３０の幅３０ｄの中央を通り、シリンドリカルレンズ３０の軸３０Ａ（ｘ方向）に沿って伸びる線を指す。本実施の形態では、シリンドリカルレンズ３０の中心線３０Ｃは、平面視したときのシリンドリカルレンズ３０の軸３０Ａと一致する。
そして、「交差点Ｐ及びその近傍に対応する位置」とは、発光装置５２を配置したときに、シリンドリカルレンズ３０の集光領域３４によって適切に集光が行える位置を指している。集光領域３４は、通常は発光装置５２に対して大きめに形成されているので、発光装置５２が交差点Ｐから多少ずれても、適切な集光を行うことができる。
【００１７】
図２Ｂでは、複数個の交差点Ｐに対応する位置の全てに、発光装置５２が配置されている。そのために、発光装置５２は、ｘ方向及びｙ方向に沿って整列したマトリクス状の配列となっている。しかし、全ての交差点Ｐに対応して発光装置５２を配置する必要はなく、例えば、いくつかの交差点Ｐと対応する位置にして発光装置５２を配置するが、その他の交差点Ｐに対応する位置には、発光装置を配置しない形態にすることもできる。
【００１８】
集光領域３４のｘ方向及びｙ方向の寸法は、各発光装置５２の寸法、発光装置５２とレンズアレイ２０との離間距離、及び各発光装置５２からの光の広がりの程度などによって、好ましい寸法範囲がほぼ決定できる。図２Ｂからもわかるように、集光領域３４のｘ方向の寸法は、領域Ｒ１の幅（すなわち、溝部４２の底面４４の幅４４ｄ）に相当し、ｙ方向の寸法は、シリンドリカルレンズ３０の幅３０ｄに相当する。シリンドリカルレンズ３０の特性と、使用する発光装置５２と、所望する集光方向との関係から、集光領域のｘ方向とｙ方向の寸法を設定するのが好ましい。
【００１９】
なお、図３では、溝部４２の方向（ｙ方向）と直交する面（ｘ−ｚ面）で切断したときの溝部４２断面形状が、略長矩形となっているが、これ以外にも、逆台形や碗状形状など、様々な径所にすることもできる。ただし、成形の観点から、第１主面２２方向に広がった断面形状にするのが好ましい。
【００２０】
図４Ａ及び図４Ｂは、肉厚部４６を通過するように、ｙ方向に沿って切断した端面図であるが、これらの図のように、肉厚部４６の表面のうち、レンズアレイ２０の第１主面２２側の表面４６１は平坦であるか、又は殆ど平坦であるのが好ましい。もし肉厚部４６の表面４６１に顕著な凹凸部が形成されると、肉厚部４６の機械的強度が不均一になり、その結果、反りが生じやすくなる可能性があるので好ましくない。同様の理由から、レンズアレイ２０の第２主面２４側に位置する肉厚部４６の表面４６２も、平坦であるか又は殆ど平坦であるのが好ましい。
【００２１】
図４Ｂを参照すると、半円筒状のシリンドリカルレンズ３０は、第２主面２４側の基準面２４０より上側の部分から構成されている。すなわち、基準面２４０より下側の突起部２８は、半円筒状のシリンドリカルレンズ３０の第２主面２４側に取着された部分であると見なすことができる。この突起部２８は、凸部３２とバランスさせるために形成するのが好ましい。すなわち、肉厚部４６と隣接する領域においては、第１主面２２より上側に突出した凸部３２の断面積３２Ｓと、突起部２８の断面積２８Ｓとをほぼ等しくするのがよい。これにより、レンズアレイ２０の第１主面２２側と第２主面２４側との材料の膨張・収縮の量がバランスし、レンズアレイ２０の反りを抑制することができる。特に、レンズアレイ２０を樹脂成形する場合には、固化時に顕著な体積収縮を起こすが、この凸部３２と突起部２８とのバランスにより、レンズアレイ２０の反りを効果的に抑制できる。
【００２２】
図５Ａ及び図５Ｂは、溝部４２を通過するように、ｙ方向に沿って切断した端面図である。これらの図のように、溝部４２の底面４４が平坦であるか、又は殆ど平坦であるのが好ましい。これにより、集光領域３４の全体にわたって配光特性を一定にすることができる。
【００２３】
また、集光領域３４では、シリンドリカルレンズ３０の配光特性を阻害しないようにするために、隣接する溝部４２を深くするのが好ましい。そして、溝部２４を形成した連結部４０が適度な厚さを備えるように、連結部４０を第２主面２２側に配置してもよい。本実施の形態において、溝部４２を形成した連結部４０の位置が低くされていることは、例えば図３の基準面２４０、２４２のズレから、又は図４Ｂと図５Ｂとを、軸３０Ａを基準点として比較することにより、理解することができる。肉厚部４６における第２主面２４側の基準面２４０と、溝部４２が形成された連結部４０における第２主面２４側の基準面２４２とを比較すると、基準面２４２のほうが、第２主面２４側にずれている。よって、連結部４０の第２主面２４側は、ｘ方向に沿って凹凸を有している。ただし、溝部４２が形成された連結部４０が適度な厚さを有することができるならば、連結部４０の第２主面２４側を平坦にしてもよい。
【００２４】
集光領域３４の第２主面２４側にも突起部２８が形成されているが、その断面積２８Ｓは、凸部３２の断面積３２Ｓとはバランスされていない。これは、配光特性を高めるために、凸部３２の断面積３２Ｓが大きくされているためである。
【００２５】
以下に、本実施の形態の各構成部品について詳述する。
（レンズアレイ２０）
レンズアレイ２０は、透光性を有する樹脂材料やガラスなど、従来から使用されている材料から形成することができる。レンズアレイ２０は、モールド加工、射出成形などの技術を用いて成形できる。
【００２６】
（実装基板５６）
実装基板５６は、例えばガラスエポキシやセラミックなど、従来から使用されている材料から形成することができる。また、実装基板５６の発光面５４側には、発光装置５２と通電するための配線が形成されている。
【００２７】
（発光装置５２）
発光装置５２は、発光ダイオードや電球を用いたものが使用できる。特に、発光ダイオードを用いた発光装置５２を用いると、薄型で、消費電力が小さく、球切れがない点で有利である。
【００２８】
（白色発光装置）
照明用途の観点からすると、白色の発光装置５２が多く使用される。例えば、発光ダイオードを用いた白色発光装置５２を作製するには、青色の発光ダイオードと、蛍光材料とを使用することができる。青色の発光ダイオードは、例えば窒化ガリウム系発光ダイオードが適している。蛍光材料は、発光ダイオードから発光される光を変換することが可能であれば特に限定されず、蛍光染料および蛍光顔料などを用いることができる。
【００２９】
（蛍光材料）
蛍光顔料は、例えば、Ｅｕ、Ｃｅ等のランタノイド系元素で主に賦活される窒化物系蛍光体・酸窒化物系蛍光体、Ｅｕ等のランタノイド系、Ｍｎ等の遷移金属系の元素により主に付活されるアルカリ土類ハロゲンアパタイト蛍光体、アルカリ土類金属ホウ酸ハロゲン蛍光体、アルカリ土類金属アルミン酸塩蛍光体、アルカリ土類ケイ酸塩、アルカリ土類硫化物、アルカリ土類チオガレート、アルカリ土類窒化ケイ素、ゲルマン酸塩、又は、Ｃｅ等のランタノイド系元素で主に付活される希土類アルミン酸塩、希土類ケイ酸塩又はＥｕ等のランタノイド系元素で主に賦活される有機及び有機錯体等から選ばれる少なくともいずれか１以上であることが好ましい。具体例として、下記の蛍光体を使用することができるが、これに限定されない。
【００３０】
Ｅｕ、Ｃｅ等のランタノイド系元素で主に賦活される窒化物系蛍光体は、Ｍ２Ｓｉ５Ｎ８：Ｅｕ（Ｍは、Ｓｒ、Ｃａ、Ｂａ、Ｍｇ、Ｚｎから選ばれる少なくとも１種以上である。）などがある。また、Ｍ２Ｓｉ５Ｎ８：ＥｕのほかＭＳｉ７Ｎ１０：Ｅｕ、Ｍ１．８Ｓｉ５Ｏ０．２Ｎ８：Ｅｕ、Ｍ０．９Ｓｉ７Ｏ０．１Ｎ１０：Ｅｕ（Ｍは、Ｓｒ、Ｃａ、Ｂａ、Ｍｇ、Ｚｎから選ばれる少なくとも１種以上である。）などもある。
また、Ｅｕ等の希土類元素により賦活され、第ＩＩ族元素Ｍと、Ｓｉと、Ａｌと、Ｎとを含む窒化物蛍光体で、紫外光乃至青色光を吸収して黄赤色から赤色の範囲に発光する。この窒化物蛍光体は、一般式がＭｗＡｌｘＳｉｙＮ（（２／３）ｗ＋ｘ＋（４／３）ｙ）：Ｅｕで示され、さらに添加元素として希土類元素及び４価の元素、３価の元素から選ばれる少なくとも１種の元素を含む。ＭはＭｇ、Ｃａ、Ｓｒ、Ｂａの群から選ばれる少なくとも１種である。
上記一般式において、ｗ、ｘ、ｙの範囲は好ましくは０．０４≦ｗ≦９、ｘ＝１、０．０５６≦ｙ≦１８とする。またｗ、ｘ、ｙの範囲は０．０４≦ｗ≦３、ｘ＝１、０．１４３≦ｙ≦８．７としてもよく、より好ましくは０．０５≦ｗ≦３、ｘ＝１、０．１６７≦ｙ≦８．７としても良い。
【００３１】
また窒化物蛍光体は、ホウ素Ｂを追加した一般式ＭｗＡｌｘＳｉｙＢｚＮ（（２／３）ｗ＋ｘ＋（４／３）ｙ＋ｚ）：Ｅｕとすることもできる。上記においても、ＭはＭｇ、Ｃａ、Ｓｒ、Ｂａの群から選ばれる少なくとも１種であり、０．０４≦ｗ≦９、ｘ＝１、０．０５６≦ｙ≦１８、０．０００５≦ｚ≦０．５である。ホウ素を添加する場合、そのモル濃度ｚは、上述の通り０．５以下とし、好ましくは０．３以下、さらに０．０００５よりも大きく設定される。さらに好ましくは、ホウ素のモル濃度は、０．００１以上であって、０．２以下に設定される。
またこれらの窒化物蛍光体は、さらにＬａ、Ｃｅ、Ｐｒ、Ｇｄ、Ｔｂ、Ｄｙ、Ｈｏ、Ｅｒ、Ｌｕの群から選ばれる少なくとも１種、またはＳｃ、Ｙ、Ｇａ、Ｉｎのいずれか１種、またはＧｅ、Ｚｒのいずれか１種、が含有されている。これらを含有することによりＧｄ、Ｎｄ、Ｔｍよりも同等以上の輝度、量子効率またはピーク強度を出力することができる。
【００３２】
Ｅｕ、Ｃｅ等のランタノイド系元素で主に賦活される酸窒化物系蛍光体は、ＭＳｉ２Ｏ２Ｎ２：Ｅｕ（Ｍは、Ｓｒ、Ｃａ、Ｂａ、Ｍｇ、Ｚｎから選ばれる少なくとも１種以上である。）などがある。
Ｅｕ等のランタノイド系、Ｍｎ等の遷移金属系の元素により主に付活されるアルカリ土類ハロゲンアパタイト蛍光体には、Ｍ５（ＰＯ４）３Ｘ：Ｒ（Ｍは、Ｓｒ、Ｃａ、Ｂａ、Ｍｇ、Ｚｎから選ばれる少なくとも１種以上である。Ｘは、Ｆ、Ｃｌ、Ｂｒ、Ｉから選ばれる少なくとも１種以上である。Ｒは、Ｅｕ、Ｍｎ、ＥｕとＭｎ、のいずれか１種以上である。）などがある。
【００３３】
アルカリ土類金属ホウ酸ハロゲン蛍光体には、Ｍ２Ｂ５Ｏ９Ｘ：Ｒ（Ｍは、Ｓｒ、Ｃａ、Ｂａ、Ｍｇ、Ｚｎから選ばれる少なくとも１種以上である。Ｘは、Ｆ、Ｃｌ、Ｂｒ、Ｉから選ばれる少なくとも１種以上である。Ｒは、Ｅｕ、Ｍｎ、ＥｕとＭｎ、のいずれか１以上である。）などがある。
アルカリ土類金属アルミン酸塩蛍光体には、ＳｒＡｌ２Ｏ４：Ｒ、Ｓｒ４Ａｌ１４Ｏ２５：Ｒ、ＣａＡｌ２Ｏ４：Ｒ、ＢａＭｇ２Ａｌ１６Ｏ２７：Ｒ、ＢａＭｇ２Ａｌ１６Ｏ１２：Ｒ、ＢａＭｇＡｌ１０Ｏ１７：Ｒ（Ｒは、Ｅｕ、Ｍｎ、ＥｕとＭｎ、のいずれか１種以上である。）などがある。
アルカリ土類硫化物蛍光体には、Ｌａ２Ｏ２Ｓ：Ｅｕ、Ｙ２Ｏ２Ｓ：Ｅｕ、Ｇｄ２Ｏ２Ｓ：Ｅｕなどがある。
【００３４】
Ｃｅ等のランタノイド系元素で主に賦活される希土類アルミン酸塩蛍光体には、Ｙ３Ａｌ５Ｏ１２：Ｃｅ、（Ｙ０．８Ｇｄ０．２）３Ａｌ５Ｏ１２：Ｃｅ、Ｙ３（Ａｌ０．８Ｇａ０．２）５Ｏ１２：Ｃｅ、（Ｙ，Ｇｄ）３（Ａｌ，Ｇａ）５Ｏ１２の組成式で表されるＹＡＧ系蛍光体などがある。また、Ｙの一部若しくは全部をＴｂ、Ｌｕ等で置換したＴｂ３Ａｌ５Ｏ１２：Ｃｅ、Ｌｕ３Ａｌ５Ｏ１２：Ｃｅなどもある。
【００３５】
その他の蛍光体には、ＺｎＳ：Ｅｕ、Ｚｎ２ＧｅＯ４：Ｍｎ、ＭＧａ２Ｓ４：Ｅｕ（Ｍは、Ｓｒ、Ｃａ、Ｂａ、Ｍｇ、Ｚｎから選ばれる少なくとも１種以上である。Ｘは、Ｆ、Ｃｌ、Ｂｒ、Ｉから選ばれる少なくとも１種以上である。）などがある。
【００３６】
上述の蛍光体は、所望に応じてＥｕに代えて、又は、Ｅｕに加えてＴｂ、Ｃｕ、Ａｇ、Ａｕ、Ｃｒ、Ｎｄ、Ｄｙ、Ｃｏ、Ｎｉ、Ｔｉから選択される１種以上を含有させることもできる。
【００３７】
Ｃａ−Ａｌ−Ｓｉ−Ｏ−Ｎ系オキシ窒化物ガラス蛍光体とは、モル％表示で、ＣａＣＯ３ をＣａＯに換算して２０〜５０モル％、Ａｌ２Ｏ３を０〜３０モル％、ＳｉＯを２５〜６０モル％、ＡｌＮを５〜５０モル％、希土類酸化物または遷移金属酸化物を０．１〜２０モル％とし、５成分の合計が１００モル％となるオキシ窒化物ガラスを母材材料とした蛍光体である。尚、オキシ窒化物ガラスを母材材料とした蛍光体では、窒素含有量が１５ｗｔ％以下であることが好ましく、希土類酸化物イオンの他に増感剤となる他の希土類元素イオンを希土類酸化物として蛍光ガラス中に０．１〜１０モル％の範囲の含有量で共賦活剤として含むことが好ましい。
また、上記蛍光体以外の蛍光体であって、同様の性能、作用、効果を有する蛍光体も使用することができる。
【実施例１】
【００３８】
図２Ａに示す照明装置１０を製造して、配光特性を調べた。
発光装置５２は、青色発光ダイオードと蛍光物質とを用いた白色光源とし、実装基板５６の発光面５４側にマトリクス状に配列した。
レンズアレイ２０は、幅３０ｄが４．８ｍｍ、長さが１３８ｍｍシリンドリカルレンズ３０を８本備えている。各シリンドリカルレンズ３０の隙間の距離を１．２ｍｍとして、連結部４０を配置した。連結部４０に形成した溝部４２は断面長矩形とし、溝部４２底面４４の幅４４ｄを４ｍｍとした。肉厚部４６の厚さを１ｍｍとし、溝部４２を形成した連結部４０の厚さを０．５ｍｍとした。レンズアレイ２０の厚さ（凸部３２の頂点から突起部２８の平坦面まで）は、３．１ｍｍとした。
平面光源５０の発光面から、レンズアレイ２０の突起部２８の平坦面までの距離は、０．９ｍｍとした。
【００３９】
図６Ａ及び図６Ｂは、照明装置１０から０．９ｃｍだけ離れた位置での発光のプロファイルを示している。また、比較のために、レンズアレイ２０を取り外した状態での平面光源の発光プロファイルも示した。図からわかるように、ｘ方向では集光されておらず、ｙ方向のみ集光することができた。
また、レンズアレイ２０を備えた照明装置１０の正面光度は、レンズアレイ２０を外した状態での平面光源に比べて、約２倍となった。
【産業上の利用可能性】
【００４０】
本発明の照明装置１０は、屋内使用としては、デスクスタンド、ベッドサイドライト又は間接照明のように所定の集光が要求される用途に適している。また、屋外使用としては、道路の照明などのように、一方向に長く伸びた照明対象に適しており、レンズアレイ２０によって光を道路方向に集光できるので不用意に環境を照明することもなく、また、少ない光量でも十分な照度を得ることができる。
【図面の簡単な説明】
【００４１】
【図１】実施の形態にかかる照明装置１０の斜視図である。
【図２Ａ】実施の形態にかかる照明装置１０の上面図である。
【図２Ｂ】図２Ａの部分拡大図である。
【図３】図２ＡのＡ−Ａ線に沿った概略断面図である。
【図４Ａ】図２ＡのＢ−Ｂ線に沿った概略端面図である。
【図４Ｂ】図４Ａの部分拡大図である。
【図５Ａ】図２ＡのＣ−Ｃ線に沿った概略端面図である。
【図５Ｂ】図５Ａの部分拡大図である。
【図６Ａ】実施例にかかる照明装置１０のｘ方向の発光プロファイルを示すグラフである。
【図６Ｂ】実施例にかかる照明装置１０のｙ方向の発光プロファイルを示すグラフである。
【符号の説明】
【００４２】
１０  照明装置、  ２０  レンズアレイ、  ２２  レンズアレイの第１主面、  ２４  レンズアレイの第２主面、  ２８  突起部、  ３０  シリンドリカルレンズ、  ３０Ａ  シリンドリカルレンズの軸、  ３０Ｃ  シリンドリカルレンズの中心線、  ３０ｄ  シリンドリカルレンズの幅、  ３２  シリンドリカルレンズの凸部、  ３４  集光領域、  ４０  連結部、  ４２  溝部、  ４２Ｃ  溝部の中心線、  ４４  溝部の底面、  ４４ｄ  底面の幅、  ４６  肉厚部、  ５０  平面光源、  ５２  発光装置、  ５４  発光面、  ５６  実装基板。
【図１】
2008203430.tif 000003
【図２Ａ】
2008203430.tif 000004
【図２Ｂ】
2008203430.tif 000005
【図３】
2008203430.tif 000006
【図４Ａ】
2008203430.tif 000007
【図４Ｂ】
2008203430.tif 000008
【図５Ａ】
2008203430.tif 000009
【図５Ｂ】
2008203430.tif 000010
【図６Ａ】
2008203430.tif 000011
【図６Ｂ】
2008203430.tif 000012